(57)【要約】【課題】放熱特性に優れたディスク装置を提供する。【解決手段】ディスク装置本体１と、ディスク装置本体１に対して開閉可能なトレー５とを備え、トレー５にディスクが備えられるディスク装備部５０が設けられ、ディスク装備部５０を形成する壁５５の内側にディスクが位置するものとされ、ディスクが回転されることによりディスク装備部５０に空気の流れが生じるディスク装置７０であって、トレー５を構成する壁５５に、壁５５の内側から壁５５の外側に向けて空気の流れを通す逃し口５ｅが設けられ、ディスク装置本体１に、ディスク装置本体１内の空気を出させる排出口１１，１２が設けられた。逃し口５ｅは、トレー５の前側からトレー５の後側に向けて空気の流れがつくられる位置に設けられ、排出口１１は、ディスク装置本体１の後側に設けられた。トレー５を備えるディスク装置本体１は、薄型とされるノート型コンピュータに装備可能とされた。【選択図】図１
2005158219.tif 000002
【特許請求の範囲】
【請求項１】
ディスク装置本体と、該ディスク装置本体に対して開閉可能なトレーとを備え、該トレーにディスクが備えられるディスク装備部が設けられ、該ディスク装備部を形成する壁の内側に該ディスクが位置するものとされ、該ディスクが回転されることにより該ディスク装備部に空気の流れが生じるディスク装置であって、前記トレーを構成する前記壁に、該壁の内側から該壁の外側に向けて空気の流れを通す逃し口が設けられ、前記ディスク装置本体に、該ディスク装置本体内の空気を出させる排出口が設けられたことを特徴とするディスク装置。
【請求項２】
前記逃し口は、前記トレーの前側から該トレーの後側に向けて空気の流れがつくられる位置に設けられ、前記排出口は、前記ディスク装置本体の後側に設けられたことを特徴とする請求項１記載のディスク装置。
【請求項３】
前記壁は、前記ディスクの平面部に対応した基壁と、該基壁から立ち上げられ該ディスクの外周部に対応した側壁とを備え、前記逃し口は、該側壁に設けられたことを特徴とする請求項１又は２記載のディスク装置。
【請求項４】
前記ディスクなどに対し制御を行う基板が、前記ディスク装置本体の後側に装備され、該基板に対応して、前記トレーの略中央部よりも後側の前記壁に、前記逃し口が設けられたことを特徴とする請求項１〜３の何れか１項に記載のディスク装置。
【請求項５】
前記ディスクなどに対し制御を行う基板が、前記ディスク装置本体を構成する筐体に設けられ、該基板は、基板本体の表裏に電気／電子部品が設けられた両面基板とされ、該両面基板は、該筐体の基壁から離された状態で該筐体に設置され、該ディスク装置本体を構成する該筐体に設けられた前記排出口は、該両面基板の一側面における空気の流れと、該両面基板の他側面における空気の流れとを、該ディスク装置本体の外側に出させるものとされたことを特徴とする請求項１〜４の何れか１項に記載のディスク装置。
【請求項６】
前記ディスク装置本体内に空気の流れを行きわたらせる案内壁が、前記逃し口から前記排出口の間に設けられたことを特徴とする請求項１〜５の何れか１項に記載のディスク装置。
【請求項７】
前記ディスクのデータを読取り可能なピックアップが前記トレーに設けられ、該ピックアップ周辺の空気を流動させる案内壁が該トレーに設けられたことを特徴とする請求項１〜６の何れか１項に記載のディスク装置。
【請求項８】
前記ディスク装置本体内を覆うパネルが前記トレーの前側に設けられ、該ディスク装置本体に対して該トレーが閉じられたときに、該ディスク装置本体を構成する筐体と、該トレーに設けられた該パネルとの間に隙間が設けられ、該隙間が、該ディスク装置本体内に空気を流れ込ませる吸入口とされたことを特徴とする請求項１〜７の何れか１項に記載のディスク装置。
【請求項９】
前記トレーを備える前記ディスク装置本体は、薄型とされるノート型コンピュータに装備可能とされたことを特徴とする請求項１〜８の何れか１項に記載のディスク装置。
【発明の詳細な説明】
【技術分野】
【０００１】
本発明は、ディスクが回転されることにより例えば基板やピックアップなどの電気／電子部品の放熱を促進させて冷却させるディスク装置に関するものである。
【背景技術】
【０００２】
レーザ光などの光ビームが用いられて信号の読取り動作などが行われるディスク装置が普及されつつある。ディスク装置に用いられるディスクとして、ＣＤ（コンパクトディスク）またはＤＶＤ（デジタルバーサティルディスク／デジタルビデオディスク）などが挙げられる。「ＣＤ」は、「Compact Disc」の略称とされる。また、「ＤＶＤ」は、「Digital Versatile Disc」もしくは「Digital Video Disc」の略称とされる。
【０００３】
ＣＤやＤＶＤなどのディスクとして、例えば、ＣＤ−ＲＯＭ，ＤＶＤ−ＲＯＭなどの読出し専用の光ディスクや、ＣＤ−Ｒ，ＤＶＤ±Ｒなどの追記型の光ディスクや、ＣＤ−ＲＷ，ＤＶＤ±ＲＷ，ＤＶＤ−ＲＡＭなどの書込み／消去や書換え可能なタイプの光ディスクなどといった各種ディスクが挙げられる。これらのディスクは、ディスク装置が用いられてデータの再生などが行われるメディアとされている。
【０００４】
「ＣＤ−ＲＯＭ」もしくは「ＤＶＤ−ＲＯＭ」の「ＲＯＭ」は、「Read Only Memory」の略称とされ、ＣＤ−ＲＯＭもしくはＤＶＤ−ＲＯＭは、読出し専用のものとされている。また、「ＣＤ−Ｒ」もしくは「ＤＶＤ±Ｒ」の「Ｒ」は、「Recordable」の略称とされ、ＣＤ−ＲもしくはＤＶＤ±Ｒは、書込み可能なものとされている。また、「ＣＤ−ＲＷ」もしくは「ＤＶＤ±ＲＷ」の「ＲＷ」は、「ReWritable」の略称とされ、ＣＤ−ＲＷもしくはＤＶＤ±ＲＷは、書換え可能なものとされている。また、「ＤＶＤ−ＲＡＭ」は、「Digital Versatile Disc Random Access Memory 」の略称とされ、読み書き・消去が可能なものとされている。
【０００５】
ディスク装置は、例えばＣＤまたはＤＶＤの何れか一方または両方のディスクを使用可能なプレーヤなどとして構成される。ＣＤプレーヤや、ＤＶＤプレーヤや、ＣＤおよびＤＶＤの両方のディスクが使用可能なプレーヤは、例えば、ノート型のパソコンや、据え置き型のパソコンなどに組み込まれて使用される。パソコンは、パーソナルコンピュータ（Personal Computer ）の略称とされる。
【０００６】
また、プレーヤを構成するプレーヤ本体に、ディスクを装備可能なトレーが設けられている。トレーは、所定の位置に、ＣＤまたはＤＶＤが装備可能なものとして形成されている。このようなトレーは、プレーヤ本体の前面側に設けられている。詳しく説明すると、プレーヤを構成するプレーヤ本体の前面に、ディスクをディスク装置内に装着させたり、ディスクをディスク装置内から排出させたりさせることが可能なトレーが配置されている。
【０００７】
また、ディスク装置本体の略中央に、ディスクを駆動させるターンテーブルが設けられている。また、ディスクから信号の読み出し動作を行うピックアップが、ディスク装置本体に設けられている。また、ディスク装置本体の後部に、電気回路が設けられている。また、ディスク装置本体の後側面に、コンピュータ本体と接続可能な接続端子が設けられている。
【０００８】
追記型ＣＤもしくは書換え可能型ＣＤなどの記録型タイプのディスクに、データなどが記録されるときに、大きい出力値のレーザ光が、ピックアップのレーザダイオードからデ
ィスクに照射されて、ディスクにデータが記録される。ディスクにデータが記録されるときに、ピックアップのレーザダイオードから大きい出力値のレーザ光が出射される。
【０００９】
ピックアップのレーザダイオードから大きい出力値のレーザ光が出射されるために、レーザダイオードに多くの電流が必要とされる。レーザダイオードに流される電流は、電気回路を構成する基板本体に搭載された集積回路から流される。そのため、ディスクにデータが記録されるときに、電気回路を構成する集積回路から多くの電流が流される。このようなことから、ディスクにデータが記録されるときに、レーザダイオードと、集積回路とから多くの熱が発生される。レーザダイオードおよび集積回路は、多くの熱を発生させる電気／電子部品とされている。
【００１０】
レーザダイオードおよび集積回路以外の他の電気／電子部品からも熱が発生される。しかしながら、レーザダイオードと、集積回路とから生じる発熱量は、レーザダイオードおよび集積回路以外の電気／電子部品から発生される発熱量よりも遥かに多い。また、ディスクにデータが記録されるときに、ディスク装置本体に対し、トレーは閉じられた状態で行われるから、レーザダイオードから発生された熱や、集積回路から発生された熱などは、ディスク装置本体を構成する筐体内にこもることとなる。
【００１１】
レーザダイオードからレーザ光が出射されるときに、レーザダイオードにおけるレーザの発振波長は、温度に依存される。このため、レーザダイオードの温度が大きく変化されると、レーザダイオードから出射されるレーザ光の波長も変動される。レーザダイオード自身が発する熱によってレーザダイオードが蓄熱されると、レーザダイオードから出射されるレーザ光の波長が変動される。このようなことが生じると、レーザダイオードから定められた波長のレーザ光が出射されなくなる。
【００１２】
ピックアップ装置などの発熱体の温度上昇を防ぎ、温度上昇により発熱体の特性が悪化されることを防止させたものとして、例えば、スピンドルモータの回転軸と同軸上にプロペラまたはフィンが設けられ、スピンドルモータの回転によって風が発生され、その風をピックアップ装置、モータ、電気回路などの発熱体にあてることで、これらの発熱体を冷却させるディスクドライブ装置というものがある（例えば特許文献１参照）。
【特許文献１】特開２００２−２５２４３号公報（第１，３頁、第６，１１，１４，１５図）
【発明の開示】
【発明が解決しようとする課題】
【００１３】
しかしながら、上記従来のディスク装置にあっては、ディスク装置本体を構成する筐体内に熱がこもり易いものとされているため、レーザダイオードや集積回路の放熱は、行われ難いものとされていた。レーザダイオードや集積回路の放熱が行われ難い構造のものとされていると、レーザダイオードや、集積回路は、自ら発する熱などにより蓄熱されるということが心配されていた。
【００１４】
上述した如く、レーザダイオードからレーザ光が出射されるときに、レーザダイオードにおけるレーザの発振波長は、温度に依存されるため、レーザダイオードの温度が大きく変化されると、レーザダイオードから出射されるレーザ光の波長も変動される。レーザダイオード自身が発する熱により、レーザダイオードの温度が異常に高くなると、レーザダイオードから出射されるレーザ光の波長が変動される。このようなことが生じた場合、レーザダイオードから定められた波長のレーザ光が出射されないといったことが懸念されていた。
【００１５】
レーザダイオードが異常に高温な状態で動作され、ディスクにデータの記録が行われた
場合、レーザダイオードやディスクに対して悪影響が及ぼされることが心配される。例えばレーザダイオードが異常に高温な状態とされて、ディスクに対しデータの記録が行われた場合、レーザダイオードの性能や、レーザダイオードの寿命や、ディスクに記録されたデータの品質などに大きな影響が及ぼされることがある。このように、レーザダイオードが異常に高温な状態とされて、ディスクに対してデータの記録が行われると、レーザダイオードの寿命が短くされ、また、レーザダイオードの性能が変化されて、記録の信頼性が満足されないディスクとされることが懸念されていた。
【００１６】
具体的に説明すると、ＣＤ−Ｒなどの追記型ディスクにデータの書込みが行われるときに、制御回路に用いられた集積回路と、集積回路に繋げられたレーザダイオードとに、大きな電流値の電流が流される。すると集積回路と、レーザダイオードとが発熱される。このような状態とされた場合、レーザダイオードは、レーザダイオード自身から発生された熱により蓄熱される。また、これと共に、集積回路などから発生された熱により、レーザダイオードの温度は、さらに上昇される。集積回路が発熱されることにより、光ピックアップの周辺温度は、上昇されることとなる。レーザダイオードが異常に高温な状態でディスクにデータの記録が行われた場合、レーザダイオードの寿命や、レーザダイオードの性能や、ディスクに記録されたデータの品質などに悪影響が及ぼされることが懸念されていた。
【００１７】
ディスク装置内に熱がこもるということを防止させるために、ディスク装置に冷却用のファンを設けることで、ディスク装置内の高温化を回避させるということも考えられた。このような手法は、例えばデスクトップ型のパソコン（図示せず）において有効な冷却手法とされる。デスクトップコンピュータは、卓上型のコンピュータとされ、机の上で使用可能なコンピュータとされているが、容易に持運びができないタイプのものとされている。
【００１８】
デスクトップ型のパソコンに対し、ノート型のパソコン（図示せず）は、軽量化、軽薄化が要求されることから、スリム型ドライブが装備されたディスク装置を備える構造のものとされている。ノート型のパソコンは、デスクトップ型のパソコンと異なる構造のものとされている。ノート型のパソコンは、ディスプレイと、パソコン本体とが、一体構造のものとされ、パソコン本体に対し、ディスプレイが折りたたまれることで、薄型サイズのものとなる。ノート型のパソコンは、このものが平面視されたときに略Ａ４判もしくはこれ以下の大きさの汎用パーソナルコンピュータとされ、ブック型パソコンとも呼ばれている。このように、ノート型のパソコンは、コンパクトなものとされて容易に持運びができるということが重要なこととされる。
【００１９】
ノート型パソコン用のディスク装置は、薄型のものとされていることから、ノート型パソコン用のディスク装置に、ディスク装置の温度上昇を防ぐ冷却用ファンを設けるということは、ディスク装置の配置スペースが足りないことから無理なことと考えられた。ノート型パソコン用のディスク装置に、ディスク装置の温度上昇を防ぐ冷却用ファンが設けられるためには、ディスク装置における部品の配置スペースを広げなければならない。ノート型パソコン用のディスク装置において、部品の配置スペースが広げられるということは、ノート型パソコンの大型化につながることとなる。また、このようなノート型パソコンは、重量が増加されることとなる。このようなものは、ノート型パソコンの使用者の要求に反するものとされることから、このようなものが設計／製造されるということはなかった。
【００２０】
また、ノート型パソコンにおいては、バッテリだけで使用されるときに、少しでも長い時間にわたってパソコンが使用可能とされるために、消費電力を極力抑えるものとさせなければならない。このようなことから、パソコンの電力を消費する冷却用ファンなどの冷
却装置が、ノート型パソコン用のディスク装置に設けられるということは、ノート型パソコンの使用者の要求に反するものとされ、他の手法で、ノート型パソコンのディスク装置を冷却させることが要望されていた。
【００２１】
また、ディスク装置内にディスクが装備されてディスクが回転させられたときに、ディスクの回転により発生された空気の流れが乱流となると、乱流となった空気の流れにより、ディスクやディスク装置に小さい振動が発生されたり、ディスクやディスク装置から低騒音が発生されたりされることがあった。
【００２２】
本発明は、上記問題点を解決したディスク装置を提供することにある。具体的には、本発明は、上記した点に鑑み、放熱特性に優れたディスク装置を提供することを目的とする。
【課題を解決するための手段】
【００２３】
上記目的を達成するために、本発明の請求項１に係るディスク装置は、ディスク装置本体と、該ディスク装置本体に対して開閉可能なトレーとを備え、該トレーにディスクが備えられるディスク装備部が設けられ、該ディスク装備部を形成する壁の内側に該ディスクが位置するものとされ、該ディスクが回転されることにより該ディスク装備部に空気の流れが生じるディスク装置であって、前記トレーを構成する前記壁に、該壁の内側から該壁の外側に向けて空気の流れを通す逃し口が設けられ、前記ディスク装置本体に、該ディスク装置本体内の空気を出させる排出口が設けられたことを特徴とする。
【００２４】
上記構成により、ディスク装置内に熱がこもるということは回避され、ディスク装置内の熱は、ディスク装置の外部に逃され易くなる。ディスク装置内に備えられたディスクが回転されることにより、空気の流れがトレーのディスク装備部に発生される。この空気の流れは、トレーのディスク装備部の壁に設けられた逃し口からディスク装置本体に設けられた排出口へと動かされる。従って、ディスク装置本体内の熱は、空気の流れにより、ディスク装置本体の排出口からディスク装置本体の外部へ排出されることとなる。これにより、放熱特性に優れるディスク装置が提供されることとなる。
【００２５】
請求項２に係るディスク装置は、請求項１記載のディスク装置において、前記逃し口は、前記トレーの前側から該トレーの後側に向けて空気の流れがつくられる位置に設けられ、前記排出口は、前記ディスク装置本体の後側に設けられたことを特徴とする。
【００２６】
上記構成により、ディスクが回転されることにより、トレーのディスク装備部に発生された空気流は、トレーのディスク装備部を形成する壁に設けられた逃し口を通り、トレーの後側に向けて流動されることとなる。トレーのディスク装備部を形成する壁の内側に発生された空気の流れは、トレーに設けられた逃し口を通り抜けてトレーのディスク装備部を形成する壁の外側に出される。また、この空気の流れは、ディスク装置本体の後側に設けられた排出口から主に出されることとなる。従って、ディスク装置本体の内部の熱は、速やかにディスク装置本体の外部に排出されることとなる。また、ディスクが回転されることにより発生された空気の流れが乱流となったときに、乱流となった空気の流れにより、ディスクやディスク装置に振動が発生されたり、ディスクやディスク装置から騒音が発生されたりされることが心配されていた。しかしながら、トレーのディスク装備部を形成する壁に、空気の流れを通す逃し口が設けられ、トレーのディスク装備部を形成する壁の内側から壁の外側に空気の流れが出されることにより、空気流の整流化が図られることとなる。従って、ディスク装置にディスクが備えられてディスクが回転されたときに、ディスクやディスク装置から振動や騒音が発生されるということは回避され、ディスク装置の低振動化や低騒音化が実現されることとなる。
【００２７】
請求項３に係るディスク装置は、請求項１又は２記載のディスク装置において、前記壁は、前記ディスクの平面部に対応した基壁と、該基壁から立ち上げられ該ディスクの外周部に対応した側壁とを備え、前記逃し口は、該側壁に設けられたことを特徴とする。
【００２８】
上記構成により、トレーのディスク装備部に発生された空気の流れは、トレーのディスク装備部を形成する壁に設けられた逃し口を通り抜け、トレーのディスク装備部を形成する壁の内側から外側に排出され易くなる。回転されるディスクの平面部と、静止されたトレーのディスク装備部を構成する基壁との間で、主に空気の流れがつくられる。空気の流れを通す逃し口は、トレーのディスク装備部を構成する基壁から立ち上げられディスクの外周部に対応した側壁に設けられているから、トレーのディスク装備部に発生された空気の流れは、効率よくトレーの逃し口を通り抜けることとなる。この空気の流れにより、ディスク装置本体の内の熱は、効率よくディスク装置本体の外に排出されることとなる。
【００２９】
請求項４に係るディスク装置は、請求項１〜３の何れか１項に記載のディスク装置において、前記ディスクなどに対し制御を行う基板が、前記ディスク装置本体の後側に装備され、該基板に対応して、前記トレーの略中央部よりも後側の前記壁に、前記逃し口が設けられたことを特徴とする。
【００３０】
上記構成により、トレーのディスク装備部に発生された空気流は、ディスク装置本体の後側に装備された基板に吹き当てられ易いものとなる。ディスクが回転されるときに、ディスクおよびトレーは、ディスク装置本体内に収容される。このときに、トレーの略中央部よりも後側であってディスク装備部を形成する壁に、空気の流れを通す逃し口が設けられているから、例えばディスク装置内が平面透視されたときに、トレーの略中央部よりも後側であってディスク装備部を形成する壁に設けられた空気流通用の逃し口と、ディスク装置本体の後側に装備された基板とは、重ね合わせられることとなる。これにより、トレーのディスク装備部に発生された空気流は、トレーに設けられた逃し口を通り抜け、ディスク装置本体の後側に装備された基板に吹き当てられ易くなる。従って、ディスク装置本体の後側に装備された基板の熱は、トレーのディスク装備部に発生された空気の流れによって効率よく奪い去られることとなる。また、このようなディスク装置が構成されていれば、基板に設けられた集積回路の温度は、許容範囲内の温度に維持され易くなる。従って、基板に備えられた集積回路は、温度に余裕がもたされた状態で使用されることとなる。
【００３１】
請求項５に係るディスク装置は、請求項１〜４の何れか１項に記載のディスク装置において、前記ディスクなどに対し制御を行う基板が、前記ディスク装置本体を構成する筐体に設けられ、該基板は、基板本体の表裏に電気／電子部品が設けられた両面基板とされ、該両面基板は、該筐体の基壁から離された状態で該筐体に設置され、該ディスク装置本体を構成する該筐体に設けられた前記排出口は、該両面基板の一側面における空気の流れと、該両面基板の他側面における空気の流れとを、該ディスク装置本体の外側に出させるものとされたことを特徴とする。
【００３２】
上記構成により、ディスク装置本体を構成する筐体に設けられた両面基板の一側面および他側面は、トレーのディスク装備部で発生された空気の流れに当てられ易いものとなる。両面基板は、ディスク装置本体を構成する筐体の基板から離された状態で筐体に設置されているから、両面基板の一側面から発せられる熱と、両面基板の他側面から発せられる熱とは、ディスク装置内の空気中に逃されることとなる。また、両面基板の一側面から発せられた熱と、両面基板の他側面から発せられた熱とは、ディスクが回転されることにより発生された空気の流れにより、奪い去られることとなる。また、両面基板の熱を奪い去った空気の流れは、ディスク装置本体を構成する筐体に設けられた排出口からディスク装置本体の外側に排出される。従って、ディスク装置本体を構成する筐体に設けられた両面基板の熱は、トレーのディスク装備部で発生された空気の流れにより、効率よく冷まされ
ることとなる。
【００３３】
請求項６に係るディスク装置は、請求項１〜５の何れか１項に記載のディスク装置において、前記ディスク装置本体内に空気の流れを行きわたらせる案内壁が、前記逃し口から前記排出口の間に設けられたことを特徴とする。
【００３４】
上記構成により、トレーのディスク装備部から発生された空気の流れは、ディスク装置本体内に行きわたらされ易くなる。トレーのディスク装備部を形成する壁に設けられた空気流通用の逃し口と、ディスク装置本体に設けられた空気流通用の排出口との間に、空気の流れをディスク装置本体内に行きわたらせる案内壁が設けられているから、トレーのディスク装備部から発生された空気の流れは、案内壁に当てられてディスク装置本体内に行きわたされ易くなる。従って、ディスク装置本体内に局部的に高温な部分が発生されるということは回避され、ディスク装置本体内の温度は、許容範囲内の温度に維持されることとなる。
【００３５】
請求項７に係るディスク装置は、請求項１〜６の何れか１項に記載のディスク装置において、前記ディスクのデータを読取り可能なピックアップが前記トレーに設けられ、該ピックアップ周辺の空気を流動させる案内壁が該トレーに設けられたことを特徴とする。
【００３６】
上記構成により、トレーのディスク装備部から発生された空気の流れは、トレーに設けられた案内壁に当てられる。これにより、ピックアップ周辺の空気は、流動され、ピックアップから発生される熱は、流動された空気によって奪い去られ易いものとなる。従って、ピックアップを構成するレーザダイオードが異常に高温な状態となり、レーザダイオードの性能や、レーザダイオードの寿命に悪影響が及ぼされるということは回避され、ピックアップを構成するレーザダイオードから、長期にわたって安定したレーザ光が出射されることとなる。
【００３７】
請求項８に係るディスク装置は、請求項１〜７の何れか１項に記載のディスク装置において、前記ディスク装置本体内を覆うパネルが前記トレーの前側に設けられ、該ディスク装置本体に対して該トレーが閉じられたときに、該ディスク装置本体を構成する筐体と、該トレーに設けられた該パネルとの間に隙間が設けられ、該隙間が、該ディスク装置本体内に空気を流れ込ませる吸入口とされたことを特徴とする。
【００３８】
上記構成により、ディスク装置本体を構成する筐体と、トレーの前側に設けられディスク装置本体内を覆うパネルとの間に設けられた隙間から、効率よく空気がディスク装置本体内に吸い込まれることとなる。ディスク装置内に備えられたディスクが回転されることにより、空気の流れがトレーのディスク装備部に発生される。しかしながら、この空気の流れをディスク装置本体に設けられた排出口からディスク装置本体の外側に効率よく出させるためには、容易に空気が流れ込まれる吸入口がディスク装置に必要とされる。ディスク装置内に効率よく空気を吸い込ませる吸入口がディスク装置に設けられているから、ディスク装置内に備えられたディスクが回転されることで発生された空気の動きにより、ディスク装置本体内の空気は、ディスク装置の吸入口から排出口へと流動される。従って、ディスク装置内に熱がこもるということは防止され、ディスク装置内の温度は、使用許容範囲内の温度に維持されることとなる。
【００３９】
請求項９に係るディスク装置は、請求項１〜８の何れか１項に記載のディスク装置において、前記トレーを備える前記ディスク装置本体は、薄型とされるノート型コンピュータに装備可能とされたことを特徴とする。
【００４０】
上記構成により、ファンなどの特別な冷却装置が必要とされることなく、放熱特性に優
れたノート型コンピュータ用のディスク装置が提供されることとなる。最近のノート型コンピュータは、高性能化されると共に、小型化、軽量化、軽薄化される傾向にある。コンピュータが高性能化されるとコンピュータから多くの熱が発生される。このため、コンピュータには、何らかの冷却手段が必要とされる。一方、最近のノート型コンピュータにおいては、小型化、軽量化、軽薄化されることが要求されている。ファンなどの特別な冷却装置などがノート型コンピュータに設けられるということは、ノート型コンピュータの大型化や重量増しにつながることとなり、このようなものは、ノート型コンピュータの使用者の要求に反するものとされる。しかしながら、ディスク装置内に備えられたディスクが回転されることにより発生される空気の流れを利用して、ディスク装置内の高温化を防ぐものとされていれば、ノート型コンピュータの大型化や重量増しは回避される。従って、大型化や重量増しされることなく、コンパクトで放熱特性に優れたディスク装置を備えるノート型コンピュータが構成されることとなる。また、ノート型コンピュータの消費電力が増加されるということも回避されることとなる。
【発明の効果】
【００４１】
以上の如く、請求項１記載の発明によれば、ディスク装置内に熱がこもるということを回避させることができ、ディスク装置内の熱をディスク装置の外部に逃し易くさせることが可能となる。ディスク装置内に備えられたディスクを回転させることにより、トレーのディスク装備部に空気の流れを発生させることができる。この空気の流れは、トレーのディスク装備部の壁に設けられた逃し口からディスク装置本体に設けられた排出口へと動かされる。従って、ディスク装置本体内の熱は、空気の流れにより、ディスク装置本体の排出口からディスク装置本体の外部へ排出される。これにより、放熱特性に優れるディスク装置を提供することができる。
【００４２】
請求項２記載の発明によれば、ディスクを回転させることにより、トレーのディスク装備部に発生させた空気流は、トレーのディスク装備部を形成する壁に設けられた逃し口を通り、トレーの後側に向けて流動される。トレーのディスク装備部を形成する壁の内側に発生された空気の流れは、トレーに設けられた逃し口を通り抜けてトレーのディスク装備部を形成する壁の外側に出される。また、この空気の流れは、ディスク装置本体の後側に設けられた排出口から主に出される。従って、ディスク装置本体の内部の熱を、速やかにディスク装置本体の外部に排出させることができる。また、ディスクが回転されることにより発生された空気の流れが乱流となったときに、乱流となった空気の流れにより、ディスクやディスク装置に振動が発生されたり、ディスクやディスク装置から騒音が発生されたりされることが心配されていた。しかしながら、トレーのディスク装備部を形成する壁に、空気の流れを通す逃し口が設けられ、トレーのディスク装備部を形成する壁の内側から壁の外側に空気の流れが出されることにより、空気流の整流化が図られる。従って、ディスク装置にディスクが備えられてディスクが回転されたときに、ディスクやディスク装置から振動や騒音が発生されるということを回避させることができ、ディスク装置の低振動化や低騒音化を実現させることが可能となる。
【００４３】
請求項３記載の発明によれば、トレーのディスク装備部に発生された空気の流れは、トレーのディスク装備部を形成する壁に設けられた逃し口を通り抜け、トレーのディスク装備部を形成する壁の内側から外側に排出され易くなる。回転されるディスクの平面部と、静止されたトレーのディスク装備部を構成する基壁との間で、主に空気の流れがつくられる。空気の流れを通す逃し口は、トレーのディスク装備部を構成する基壁から立ち上げられディスクの外周部に対応した側壁に設けられているから、トレーのディスク装備部に発生された空気の流れは、効率よくトレーの逃し口を通り抜ける。この空気の流れにより、効率よくディスク装置本体の内の熱をディスク装置本体の外に排出させることができる。
【００４４】
請求項４記載の発明によれば、トレーのディスク装備部に発生された空気流は、ディス
ク装置本体の後側に装備された基板に吹き当てられ易いものとなる。ディスクが回転されるときに、ディスクおよびトレーは、ディスク装置本体内に収容される。このときに、トレーの略中央部よりも後側であってディスク装備部を形成する壁に、空気の流れを通す逃し口が設けられているから、例えばディスク装置内が平面透視されたときに、トレーの略中央部よりも後側であってディスク装備部を形成する壁に設けられた空気流通用の逃し口と、ディスク装置本体の後側に装備された基板とは、重ね合わせられる。これにより、トレーのディスク装備部に発生された空気流は、トレーに設けられた逃し口を通り抜け、ディスク装置本体の後側に装備された基板に吹き当てられ易くなる。従って、ディスク装置本体の後側に装備された基板の熱を、トレーのディスク装備部に発生された空気の流れによって効率よく奪い去らせることができる。また、このようなディスク装置が構成されていれば、基板に設けられた集積回路の温度を許容範囲内の温度に維持させ易くすることができる。従って、温度に余裕がもたされた状態で、基板に備えられた集積回路を使用することができる。
【００４５】
請求項５記載の発明によれば、ディスク装置本体を構成する筐体に設けられた両面基板の一側面および他側面は、トレーのディスク装備部で発生された空気の流れに当てられ易いものとなる。両面基板は、ディスク装置本体を構成する筐体の基板から離された状態で筐体に設置されているから、両面基板の一側面から発せられる熱と、両面基板の他側面から発せられる熱とは、ディスク装置内の空気中に逃される。また、両面基板の一側面から発せられた熱と、両面基板の他側面から発せられた熱とは、ディスクが回転されることにより発生された空気の流れにより奪い去られる。また、両面基板の熱を奪い去った空気の流れは、ディスク装置本体を構成する筐体に設けられた排出口からディスク装置本体の外側に排出される。従って、トレーのディスク装備部で発生された空気の流れにより、ディスク装置本体を構成する筐体に設けられた両面基板の熱を効率よく冷まさせることができる。
【００４６】
請求項６記載の発明によれば、トレーのディスク装備部から発生された空気の流れは、ディスク装置本体内に行きわたらされ易くなる。トレーのディスク装備部を形成する壁に設けられた空気流通用の逃し口と、ディスク装置本体に設けられた空気流通用の排出口との間に、空気の流れをディスク装置本体内に行きわたらせる案内壁が設けられているから、トレーのディスク装備部から発生された空気の流れは、案内壁に当てられてディスク装置本体内に行きわたされ易くなる。従って、ディスク装置本体内に局部的に高温な部分が発生されるということを回避させることができ、ディスク装置本体内の温度を許容範囲内の温度に維持させることが可能となる。
【００４７】
請求項７記載の発明によれば、トレーのディスク装備部から発生された空気の流れは、トレーに設けられた案内壁に当てられる。これにより、ピックアップ周辺の空気は、流動され、ピックアップから発生される熱は、流動された空気によって奪い去られ易いものとなる。従って、ピックアップを構成するレーザダイオードが異常に高温な状態となり、レーザダイオードの性能や、レーザダイオードの寿命に悪影響が及ぼされるということを回避させることができ、ピックアップを構成するレーザダイオードから、長期にわたって安定したレーザ光を出射させることが可能となる。
【００４８】
請求項８記載の発明によれば、ディスク装置本体を構成する筐体と、トレーの前側に設けられディスク装置本体内を覆うパネルとの間に設けられた隙間から、効率よく空気をディスク装置本体内に吸い込ませることが可能となる。ディスク装置内に備えられたディスクが回転されることにより、空気の流れがトレーのディスク装備部に発生される。しかしながら、この空気の流れをディスク装置本体に設けられた排出口からディスク装置本体の外側に効率よく出させるためには、容易に空気が流れ込まれる吸入口がディスク装置に必要とされる。ディスク装置内に効率よく空気を吸い込ませる吸入口がディスク装置に設け
られているから、ディスク装置内に備えられたディスクが回転されることで発生された空気の動きにより、ディスク装置本体内の空気は、ディスク装置の吸入口から排出口へと流動される。従って、ディスク装置内に熱がこもるということを防止させることができ、ディスク装置内の温度を使用許容範囲内の温度に維持させることが可能となる。
【００４９】
請求項９記載の発明によれば、ファンなどの特別な冷却装置が必要とされることなく、放熱特性に優れたノート型コンピュータ用のディスク装置を提供することができる。最近のノート型コンピュータは、高性能化されると共に、小型化、軽量化、軽薄化される傾向にある。コンピュータが高性能化されるとコンピュータから多くの熱が発生される。このため、コンピュータには、何らかの冷却手段が必要とされる。一方、最近のノート型コンピュータにおいては、小型化、軽量化、軽薄化されることが要求されている。ファンなどの特別な冷却装置などがノート型コンピュータに設けられるということは、ノート型コンピュータの大型化や重量増しにつながることとなり、このようなものは、ノート型コンピュータの使用者の要求に反するものとされる。しかしながら、ディスク装置内に備えられたディスクが回転されることにより発生される空気の流れを利用して、ディスク装置内の高温化を防ぐものとされていれば、ノート型コンピュータの大型化や重量増しは回避される。従って、大型化や重量増しされることなく、コンパクトで放熱特性に優れたディスク装置を備えるノート型コンピュータが構成される。また、ノート型コンピュータの消費電力が増加されるということも回避させることができる。
【発明を実施するための最良の形態】
【００５０】
以下に本発明に係るディスク装置の一実施形態を図面に基づいて詳細に説明する。
【００５１】
図１は、本発明に係るディスク装置の一実施の形態を示す斜視図、図２は、トレーがディスク装置本体内に収容された状態を示す説明図、図３は、ディスク装置の一部が切り欠かれた状態を示す説明図、図４は、図３の要部拡大図である。
【００５２】
各図について詳しく説明すると、図１は、ディスク装置７０のトレー５がディスク装置本体１から排出された状態を示す斜視図とされている。また、図２は、図１におけるトレー５がディスク装置本体１の動作位置に挿入された状態を示す要部平面断面図とされている。また、図３は、図２に示すディスク装置７０を側面から眺め、ディスク装置７０内の一部が切り欠かれて断面として示された説明図とされている。また、図４は、同じくディスク装置７０を側面から眺め、図３に示すディスク装置７０の要部が拡大された説明図とされている。
【００５３】
各図に示された主要なものを説明する。ディスク装置本体１は、鋼板製の筐体１ａを少なくとも備えるものとして構成されている。また、ターンテーブル２に、データなどの情報が備えられるディスク３（図２〜図４）が、着脱自在に取り付けられる。ターンテーブル２に対してディスク３が着脱されるときに、容易にディスク３の取付け取外しが行われることが可能とされるために、ターンテーブル２にチャッキング部材２ａが設けられている。チャッキング部材２ａが用いられてターンテーブル２に装着されたディスク３は、ターンテーブル２を備えるスピンドルモータ４（図３，図４）によって回転させられる。
【００５４】
スピンドルモータ４は、このスピンドルモータ４の制御を行う回路基板（図示せず）に一体のものとされている。スピンドルモータ４は、いわゆるアセンブリーされたものとして構成されている。また、不図示の回路基板は、スピンドルモータ４などの制御を行う集積回路や、集積回路などに通電可能に接続されるコネクタなどを備えるものとして構成されている。
【００５５】
ディスク３（図２）が備えられたトレー５（図１）が、ディスク装置本体１の開口部１
ｕからディスク装置本体１の収容室１ｒ内に収容されたのちに（図２）、スピンドルモータ４（図３，図４）により、ターンテーブル２が回転させられる。これにより、ターンテーブル２のチャッキング部材２ａに装着されたディスク３が回転させられる。
【００５６】
トレー５（図１〜図４）は、ディスク装置本体１に対し出入り可能なものとされている。詳しく説明すると、トレー５は、ディスク装置本体１より外部に突出されたディスク着脱位置（図１）と、ディスク装置本体１の内部に収納されたディスク動作位置（図２〜図４）との間を変位可能なものとして形成されている。また、略平面状の基壁５５ａ（図１，図２，図４）が設けられることで、トレー５を構成するトレー本体５ｕが形成されている。トレー本体５ｕを形成する基壁５５ａは、トレー５にディスク３が備えられたときに、ディスク３（図２，図４）の平面部３ａに対応するものとして形成されている。また、これと共に、略湾曲状の各側壁５５ｂ、５５ｃ、５５ｄ（図１，図２）が設けられることで、トレー５を構成するトレー本体５ｕが形成されている。略湾曲状の各側壁５５ｂ，５５ｃ，５５ｄは、トレー本体５ｕに分割配置された状態で形成されている。トレー本体５ｕを形成する略湾曲状の各側壁５５ｂ、５５ｃ、５５ｄは、トレー５にディスク３が備えられたときに、ディスク３（図２，図４）の外周部３ｂに対応するものとして形成されている。
【００５７】
また、トレー５にディスク３が備えられたときに、ディスク３（図２，図４）の平面部３ａに対応して、略平面状の内壁面５ａ（図１，図２，図４）が、トレー本体５ｕを構成する基壁５５ａに設けられている。また、これと共に、トレー５にディスク３が備えられたときに、ディスク３（図２，図４）の外周部３ｂに対応して、略平面状の内壁面５ａを囲むように略湾曲状の各内壁面５ｂ，５ｃ，５ｄ（図１，図２）が、トレー本体５ｕを構成する各側壁５５ｂ，５５ｃ，５５ｄに設けられている。
【００５８】
トレー５を構成するトレー本体５ｕの側壁５５ｂに、空気が通される略矩形状の逃し口５ｅが設けられている。また、これと共に、トレー５を構成するトレー本体５ｕの基壁５５ａに、ピックアップ６が備えられる開口部５ｇが設けられている。この開口部５ｇに、ピックアップ６が移動可能に位置するものとされている。
【００５９】
ピックアップ６は、光信号などにより、ディスク３に記録されたデータなどの情報を読取り可能なものとして構成されている。光ピックアップ６は、不図示のレーザダイオードから出射されたレーザ光をディスク３に集光させるレンズ６ａと、レンズ６ａを保持するレンズホルダ６ｈとを少なくとも備えるものとして構成されている。
【００６０】
レンズ６ａ、レンズホルダ６ｈ、レーザダイオードなどは、光ピックアップ６を構成するピックアップ主体部に装備されている。光ピックアップ６を構成するピックアップ主体部は、トレー５に装備された不図示の送りモータにより、トレー５の内外方向に沿って、略長方形の開口部５ｇ内を移動するものとされている。また、光ピックアップ６のレンズホルダ６ｈは、光ディスク３に対し、レンズ６ａのフォーカス方向およびトラッキング方向に動作可能なものとされている。
【００６１】
ターンテーブル２を備えるスピンドルモータ４および光ピックアップ６は、ディスク装置本体１に対して移動可能なトレー５に装備されている。図１〜図４に示すトレー５に代えて、例えばディスク３が載せられたり置かれたりされる載置部が設けられたトレー（５）も使用可能とされる。また、そのようなトレー（５）を備えると共に、ターンテーブル（２）を備えるスピンドルモータ（４）および光ピックアップ（６）が、ディスク装置本体（１）に内蔵されたディスク装置（７０）も使用可能とされる。
【００６２】
前記逃し口５ｅの後部に、案内壁７が突設されている。この案内壁７は、前記側壁５５
ｂの上部から前記基壁５５ａと略平行に延設された天壁５５ｆの裏側に設けられている。案内壁７は、天壁５５ｆの裏側において、下側に向けて立設されている。また、この案内壁７は、略板状のリブ７として形成されている。このリブ７の高さは、前記基壁５５ａに対して立設された各側壁５５ｂ，５５ｃ，５５ｄの高さと略同じ高さとされている。このリブ７（図２）は、ディスク３の回転による空気の遠心力により、逃し口５ｅより取り入れられた空気の流れＢの一部を、ディスク装置本体１内において拡散させるために、トレー本体５ｕに設けられている。また、トレー５（図１〜図３）を構成するトレー本体５ｕの前面に、パネル８が取り付けられている。
【００６３】
トレー本体５ｕおよびディスク装置本体１に対し、パネル８が位置する側をディスク装置７０の前側とする。また、トレー本体５ｕおよびディスク装置本体１に対し、基板９が位置する側をディスク装置７０の後側とする。また、トレー本体５ｕにおいて、天壁５５ｆが位置する側を上側とし、基壁５５ａが位置する側を下側とする。また、トレー本体５ｕにおいて、図２の如く平面視された側をトレー５の表側とし、これの逆側から眺めたものをトレー５の裏側とする。なお、この明細書における「前後」「上下」「表裏」の定義は、ディスク装置７０を説明するための便宜上のものとされる。
【００６４】
ディスク装置本体１に制御基板９（図１〜図４）が内蔵されている。制御基板９の両面に、ディスクドライブなどを駆動させるための電気回路が備えられている。制御基板９は、基板本体９ｈと、基板本体９ｈに装着された各集積回路９ａ，９ｂとを少なくとも備えるものとして構成されている。制御基板９（図４）の一側面９ｉが制御基板９の上面９ｉとされ、制御基板９の他側面９ｊが制御基板９の下面９ｊとされる。制御基板９の上面９ｉに、上部集積回路９ａが配置されている。また、制御基板９の下面９ｊに、下部集積回路９ｂが配置されている。
【００６５】
ディスク装置本体１の後面側に、コネクタ１０が配置されている。ディスク装置７０に装備されたコネクタ１０と、不図示のノート型コンピュータに装備された相手側コネクタ（図示せず）とが通電可能に接続される。これにより、ノート型コンピュータから発せられた各命令がディスク装置７０に伝えられる。
【００６６】
また、ディスク装置本体１の後面側に、ディスク装置本体１内の空気が通される略矩形状の各排出口１１，１２が設けられている。図３および図４の如く、上部排出口１１は、ディスク装置本体１の後面側に設けられ、制御基板９の上部集積回路９ａと略同じ高さに位置するものとされている。また、下部排出口１２は、ディスク装置本体１の後面側に設けられ、制御基板９の下部集積回路９ｂと略同じ高さに位置するものとされている。
【００６７】
図１〜図４の如く、光ディスク装置７０は、光ディスク装置本体１と、この光ディスク装置本体１に対して開閉可能なトレー５とを少なくとも備えるものとして構成されている。トレー５に、光ディスク３（図２〜図４）が備えられるディスク装備部５０（図１）が設けられている。ディスク装備部５０を形成する合成樹脂製の壁５５の内側に、光ディスク３が位置するものとされている。光ディスク３（図２）が回転されることにより、ディスク装備部５０に空気の流れＡ，Ｂが発生される光ディスク装置７０とされている。
【００６８】
合成樹脂製のトレー本体５ｕを構成する壁５５に、壁５５の内側から壁５５の外側に向けて空気の流れＡ，Ｂを通す空気流逃し口５ｅが設けられている。また、光ディスク装置本体１を構成する金属製筐体１ａの後側に、光ディスク装置本体１内の温度の高い空気を出させる空気流排出口１１，１２が設けられている。
【００６９】
このような構造の光ディスク装置７０が構成されていれば、光ディスク装置７０内に熱がこもるということは回避され、光ディスク装置７０内の熱は、光ディスク装置７０の外
部に逃され易くなる。光ディスク装置７０内に備えられた光ディスク３が回転されることにより、空気の流れＡ，Ｂがトレー５のディスク装備部５０に発生される。この空気の流れＡ，Ｂは、トレー５のディスク装備部５０の壁５５に設けられた空気流逃し口５ｅから光ディスク装置本体１の後側に設けられた上側の空気流排出口１１へと動かされる。また、一部の空気の流れＣ，Ｄは、トレー５のディスク装備部５０の壁５５に設けられた空気流逃し口５ｅから光ディスク装置本体１の後側に設けられた下側の空気流排出口１２へと動かされる。
【００７０】
従って、光ディスク装置本体１内の熱は、空気の流れＢ，Ｃ，Ｄにより、光ディスク装置本体１の後側の空気流排出口１１，１２から光ディスク装置本体１の外部へ排出される。これにより、冷却用ファンなどの特別な冷却装置が光ディスク装置７０に設けられるということは回避され、放熱特性に優れるコンパクトな薄型の光ディスク装置７０が、光ディスク装置７０の利用者や、光ディスク装置７０をパソコンなどの機器に組み込む組立メーカなどに提供される。
【００７１】
トレー５（図１，図２）に設けられた空気流逃し口５ｅは、トレー５の前側からトレー５の後側に向けて空気の流れＢ（図２，図４）がつくられる位置に設けられている。空気流逃し口５ｅに対応して、光ディスク装置本体１を構成する筐体１ａに設けられた空気流排出口１１は、光ディスク装置本体１の後側に設けられている。空気流排出口１１は、光ディスク装置本体１を構成する筐体１ａの後部側壁１ｃに設けられている。
【００７２】
このような構造の光ディスク装置７０が構成されていれば、光ディスク３が回転されることにより、トレー５のディスク装備部５０に発生された空気流Ａ，Ｂは、トレー５のディスク装備部５０を形成する壁５５に設けられた空気流逃し口５ｅを通り、トレー５の後側に向けて流動される。このとき、トレー５は、光ディスク装置本体１を構成する筐体１ａの収容室１ｒ内に収納された状態とされている。
【００７３】
トレー５のディスク装備部５０を形成する壁５５の内側に発生された空気の流れＡ，Ｂは、トレー本体５ｕを構成する壁５５に設けられた空気流逃し口５ｅを通り抜けてトレー５のディスク装備部５０を形成する壁５５の外側に出される。また、この空気の流れＢ（図２，図４）は、光ディスク装置本体１を構成する筐体１ａの後部側壁１ｃに設けられた空気流排出口１１から主に出される。従って、光ディスク装置本体１の内部の熱は、速やかに光ディスク装置本体１の外部に排出される。
【００７４】
また、光ディスク３（図２）が回転されることにより発生された空気の流れＡ，Ｂが乱流となったときに、乱流となった空気の流れにより、光ディスク３や光ディスク装置７０に小さい振動が発生されたり、光ディスク３や光ディスク装置７０から低騒音が発生されたりされることが心配されていた。しかしながら、トレー５のディスク装備部５０を形成する壁５５に、空気の流れＡ，Ｂを通す空気流逃し口５ｅが設けられ、トレー５のディスク装備部５０を形成する壁５５の内側から壁５５の外側に空気の流れＢが出されることにより、空気流Ａ，Ｂの整流化が図られる。従って、光ディスク装置７０に光ディスク３が備えられて光ディスク３が回転されたときに、光ディスク３や光ディスク装置７０から大きな振動や大きな騒音が発生されるということは回避され、光ディスク装置７０の低振動化や低騒音化が実現される。
【００７５】
トレー本体５ｕ（図１）を構成する合成樹脂製の壁５５は、光ディスク３（図２〜図４）の平面部３ａに対応した略平板状の基壁５５ａ（図１，図２）と、基壁５５ａから斜め上側に向けて基壁５５ａに対し鈍角に立ち上げられ光ディスク３の外周部３ｂに対応した湾曲状の各側壁５５ｂ，５５ｃ，５５ｄ（図１）と、各側壁５５ｂ，５５ｃ，５５ｄの上端から基壁５５ａに対して略平行に延設された略平板状の各天壁５５ｆとを備えるものと
して形成されている。上記空気流逃し口５ｅは、トレー本体５ｕ（図１）を構成する合成樹脂製の側壁５５ｂに設けられている。
【００７６】
このような構造の光ディスク装置７０が構成されていれば、トレー５のディスク装備部５０に発生された空気の流れＡ，Ｂは、トレー５のディスク装備部５０を形成する壁５５に設けられた空気流逃し口５ｅを通り抜け、トレー５のディスク装備部５０を形成する壁５５の内側から外側に排出され易くなる。
【００７７】
回転される光ディスク３（図２〜図４）の平面部３ａと、静止されたトレー５のディスク装備部５０を構成する基壁５５ａとの隙間や、筐体１ａを構成する上側のカバー１ｐとの隙間で、主に空気の流れＡ，Ｂがつくられる。空気の流れＡ，Ｂを通す逃し口５ｅは、トレー５のディスク装備部５０を構成する略平板状の基壁５５ａから斜め上側に向けて基壁５５ａに対し鈍角に立ち上げられ光ディスク３の外周部３ｂに対応した略湾曲状の側壁５５ｂに設けられているから、トレー５のディスク装備部５０に発生された空気の流れＡ，Ｂは、効率よくトレー５の空気流逃し口５ｅを通り抜ける。この空気の流れＡ，Ｂにより、光ディスク装置本体１の内の熱は、効率よく光ディスク装置本体１の外に排出される。
【００７８】
光ディスク３（図１〜図３）のデータを読み取る光ピックアップ６が、トレー５に装備されている。また、光ディスク３や光ピックアップ６などに対し電気制御を行う基板９（図１〜図４）が、光ディスク装置本体１の後側に装備されている。基板９に対応して、トレー５（図１，図２）の略中央部５ｍよりも後側に位置する側壁５５ｂに、上記空気流逃し口５ｅが設けられている。
【００７９】
このような構造の光ディスク装置７０が構成されていれば、トレー５のディスク装備部５０に発生された空気流Ａ，Ｂは、光ディスク装置本体１の後側に装備された基板９に吹き当てられ易いものとなる。光ディスク３（図２）が回転されるときに、光ディスク３およびトレー５は、光ディスク装置本体１内に収容される。このときに、トレー５の略中央部５ｍよりも後側であってディスク装備部５０を形成する側壁５５ｂに、空気の流れＡ，Ｂを通す空気流逃し口５ｅが設けられているから、例えば光ディスク装置７０内が平面透視されたときに、トレー５の略中央部５ｍよりも後側であってディスク装備部５０を形成する側壁５５ｂに設けられた空気流通用の空気流逃し口５ｅと、光ディスク装置本体１の後側に装備された基板９とは、重ね合わせられる。
【００８０】
これにより、トレー５のディスク装備部５０に発生された空気流Ａ，Ｂは、トレー５に設けられた空気流逃し口５ｅを通り抜け、光ディスク装置本体１の後側に装備された基板９に吹き当てられ易くなる（図２，図４）。従って、光ディスク装置本体１の後側に装備された基板９の熱は、トレー５のディスク装備部５０に発生された空気の流れＡ，Ｂによって効率よく奪い去られる。また、このような光ディスク装置７０が構成されていれば、基板９に設けられレーザダイオード駆動用の電気回路として用いられる各集積回路９ａ，９ｂの温度は、許容範囲内の温度に維持され易くなる。従って、基板９に備えられた集積回路９ａ，９ｂは、温度に余裕がもたされた状態で使用される。
【００８１】
光ディスク３や光ピックアップ６などに対して電気制御を行う基板９は、光ディスク装置本体１を構成する筐体１ａ内に設けられている。基板９は、基板本体９ｈの表裏に、各集積回路９ａ，９ｂなどの各種電気／電子部品９ａ，９ｂ等が設けられた両面基板９とされている。両面基板９は、光ディスク装置本体１を構成する筐体１ａの底壁１ｂから上側に離された状態で筐体１ａに設置されている。両面基板９の下側の集積回路９ｂは、光ディスク装置本体１を構成する筐体１ａの底壁１ｂから離されて例えば浮かされた状態で、筐体１ａの収容室１ｒ内に位置するものとされている。光ディスク装置本体１（図４）を
構成する筐体１ａに設けられた空気流排出口１１，１２は、両面基板９の上面９ｉにおける空気の流れＢと、両面基板９の下面９ｊにおける空気の流れＤとを、光ディスク装置本体１の外側に出させ易くさせる位置に形成されている。
【００８２】
このような構造の光ディスク装置７０が構成されていれば、光ディスク装置本体１を構成する筐体１ａに設けられた両面基板９の上面９ｉおよび下面９ｊは、トレー５のディスク装備部５０で発生された空気の流れＢ，Ｄに当てられ易いものとなる。両面基板９は、光ディスク装置本体１を構成する筐体１ａの底壁１ｂから上側に離された状態で筐体１ａに設置されているから、両面基板９の上面９ｉから発せられる熱と、両面基板９の下面９ｊから発せられる熱とは、光ディスク装置７０内の空気中に逃される。また、両面基板９の上面９ｉから発せられた熱と、両面基板９の下面９ｊから発せられた熱とは、光ディスク３が回転されることにより発生された空気の流れＢ，Ｄ（図４）により、奪い去られる。また、両面基板９の熱を奪い去った空気の流れＢ，Ｄは、光ディスク装置本体１を構成する筐体１ａに設けられた空気流排出口１１，１２から光ディスク装置本体１の外側に排出される。従って、光ディスク装置本体１を構成する筐体１ａに設けられた両面基板９の熱は、トレー５のディスク装備部５０で発生された空気の流れＢ，Ｄにより、効率よく速やかに冷まされる。
【００８３】
図１〜図４に示すディスク装置７０には、複数の空気流排出口１１，１２が設けられているが、例えば空気流排出口１１，１２が、コネクタ口を兼ねたものとして設けられたディスク装置も使用可能とされる。また、空気流排出口が、コネクタ口を兼ねた一つのものとして形成されたディスク装置も使用可能とされる。
【００８４】
光ディスク装置本体１（図２）の収容室１ｒ内に空気の流れＣ，Ｄを行きわたらせる合成樹脂製のリブ７（図１，図２）が、空気流逃し口５ｅから上部排出口１１の間に設けられている。このリブ７（図１）は、トレー本体５ｕを構成する側壁５５ｂの上部から基壁５５ａと略平行に延設された天壁５５ｆの裏側に設けられている。リブ７は、天壁５５ｆの裏側において、下側に向けて立設されている。また、このリブ７（図２，図４）は、トレー５の前側からトレー５の後側に向けてつくられる空気の流れＢに対し、略直交する方向に沿って延設されている。また、合成樹脂製のリブ７（図１〜図４）は、トレー５を構成する合成樹脂製のトレー本体５ｕと一体のものとされている。
【００８５】
このような構造の光ディスク装置７０が構成されていれば、トレー５のディスク装備部５０から発生された空気の流れＡ，Ｂ（図２）は、光ディスク装置本体１内に行きわたらされ易くなる。トレー５のディスク装備部５０を形成する壁５５に設けられた空気流通用の逃し口５ｅと、光ディスク装置本体１に設けられた空気流通用の上部排出口１１との間に、空気の流れＣ，Ｄを光ディスク装置本体１内に行きわたらせるリブ７が設けられているから、トレー５のディスク装備部５０から発生された空気の流れＡ，Ｂは、リブ７に当てられて光ディスク装置本体１内に行きわたされ易くなる。従って、光ディスク装置本体１内に局部的に高温な部分が発生されるということは回避され、光ディスク装置本体１内の温度は、許容範囲内の温度に維持される。
【００８６】
光ディスク３（図２）のデータを読取り可能な光ピックアップ６（図１，図２）が、トレー５の裏側に設けられている。また、光ピックアップ６周辺の空気を流動させる上記リブ７が、トレー５の裏側に設けられている。
【００８７】
このような構造の光ディスク装置７０が構成されていれば、トレー５のディスク装備部５０から発生された空気の流れＡは、トレー５に設けられたリブ７に当てられ、空気の流れＣとなって、トレー５の裏側に回り込む。リブ７に当てられた空気の流れＣは、トレー本体５ｕを構成する基壁５５ａの下側に回り込む。トレー５に上記リブ７が設けられるこ
とにより、光ピックアップ６にあたる空気の流れＣ，Ｄが、光ディスク装置本体１の収容室１ｒ内につくられる。
【００８８】
これにより、光ピックアップ６周辺の空気は、流動され、光ピックアップ６のレーザダイオードから発生される熱は、流動された空気によって奪い去られ易いものとなる。従って、光ピックアップ６を構成するレーザダイオードが異常に高温な状態となり、レーザダイオードの性能や、レーザダイオードの寿命や、光ディスク３に記録されたデータの品質などに悪影響が及ぼされるということは回避され、光ピックアップ６を構成するレーザダイオードから、長時間や長期にわたって安定したレーザ光が出射される。
【００８９】
また、トレー５の裏側に空気の流れＣ，Ｄが発生されることにより、光ディスク３（図３，図４）を回転駆動させるスピンドルモータ４から発生された熱は、流動された空気によって奪い去られ易くなる。また、トレー５の裏側に空気の流れＣ，Ｄが発生されることにより、スピンドルモータ４と一体のものとされ且つスピンドルモータ４の制御を行う上記回路基板の上記集積回路から発生された熱なども、流動された空気によって奪い去られ易くなる。また、トレー５の裏側に空気の流れＣ，Ｄが発生されることにより、光ピックアップ６のピックアップ主体部を駆動させる送りモータ（図示せず）から発生された熱も、流動された空気によって奪い去られ易くなる。従って、前記スピンドルモータ４や、前記回路基板の前記集積回路や、前記送りモータなどが異常に高温な状態に曝されるということは、回避され易くなる。
【００９０】
光ディスク装置本体１（図１〜図３）の内部を覆うパネル８が、トレー５の前側に設けられている。光ディスク装置本体１（図２，図３）に対してトレー５が閉じられたときに、光ディスク装置本体１を構成する筐体１ａの開口部１ｕと、トレー５に設けられたパネル８との間に、各隙間１３（図３），１４（図２），１５が設けられる構造のものとされている。これらの隙間１３（図３），１４（図２），１５は、光ディスク装置本体１内に空気を流れ込ませる吸入口１３，１４，１５とされている。
【００９１】
このような構造の光ディスク装置７０が構成されていれば、光ディスク装置本体１を構成する筐体１ａの開口部１ｕと、トレー５の前側に設けられ光ディスク装置本体１内を覆うパネル８との間に設けられた各隙間１３，１４，１５から、効率よく空気が光ディスク装置本体１内に吸い込まれる。光ディスク装置７０（図２）内に備えられた光ディスク３が回転されることにより、空気の流れＡ，Ｂがトレー５のディスク装備部５０に発生される。しかしながら、この空気の流れＡ，Ｂを光ディスク装置本体１に設けられた上記各空気流排出口１１，１２から光ディスク装置本体１の外側に効率よく出させるためには、容易に空気が流れ込まれる各吸入口１３，１４，１５が光ディスク装置７０に必要とされる。
【００９２】
光ディスク装置７０内に効率よく空気を吸い込ませる吸入口１３，１４，１５が光ディスク装置７０の前側に設けられているから、光ディスク装置７０内に備えられた光ディスク３が回転されることで発生された空気の動きにより、光ディスク装置本体１内の空気は、光ディスク装置７０の吸入口１３，１４，１５から空気流排出口１１，１２へと流動される。従って、光ディスク装置７０内に熱がこもるということは防止され、光ディスク装置７０内の温度は、使用許容範囲内の温度に維持される。このように、上記光ディスク装置７０に装備された上記各集積回路や、上記レーザダイオードや、上記各モータなどの発熱体は、自然クーリングにより冷却される。
【００９３】
トレー５を備える光ディスク装置本体１（図１〜図４）は、薄型とされる不図示のノート型パーソナルコンピュータに装備可能なものとされている。光ディスク装置７０は、ノート型パーソナルコンピュータ専用の光ディスク装置７０とされている。
【００９４】
このようにすれば、ファンなどの電力を消費する特別な冷却装置が必要とされることなく、放熱特性に優れたノート型パーソナルコンピュータ用の光ディスク装置７０が、コンピュータ組立メーカなどに提供される。最近のノート型パーソナルコンピュータは、高性能化されると共に、小型化、軽量化、軽薄化される傾向にある。パーソナルコンピュータが高性能化されると、パーソナルコンピュータに装備された制御基板９の集積回路９ａ，９ｂや、光ピックアップ６のレーザダイオードなどから多くの熱が発生される。このため、パーソナルコンピュータには、何らかの冷却手段が必要とされる。一方、最近のノート型パーソナルコンピュータにおいては、小型化、軽量化、軽薄化されることが、ノート型パーソナルコンピュータの設計者や使用者などから要求されている。ファンなどの特別な冷却装置などがノート型パーソナルコンピュータに設けられるということは、ノート型パーソナルコンピュータの大型化や重量増しにつながることとなり、このようなものは、ノート型パーソナルコンピュータの設計者や使用者の要求に反するものとされる。
【００９５】
しかしながら、光ディスク装置７０内に備えられた光ディスク３が回転されることにより発生される空気の流れＡ，Ｂ，Ｃ，Ｄ，Ｅ，Ｆ，Ｇを利用して、光ディスク装置７０内の高温化を防ぐものとされていれば、ノート型パーソナルコンピュータの大型化や重量増しは回避される。従って、大型化や重量増しされることなく、コンパクトで放熱特性に優れた光ディスク装置７０を備えるノート型パーソナルコンピュータが構成される。また、ノート型パーソナルコンピュータの消費電力が増加されるということも回避される。
【００９６】
このように、本発明のディスク装置は、主にノート型コンピュータに好適なものとされる。光ディスク装置７０は、ノート型コンピュータに対し、光ディスク装置本体１が取り付けられたり取り外されたりされることが可能なものとされている。即ち、光ディスク装置７０は、ノート型コンピュータに対し、着脱自在に装備される。また、光ディスク装置７０は、ディスクドライブ装置に内蔵された電気回路を備える基板９と、光ピックアップ６とを冷却する構造のものとされている。
【００９７】
ディスク３が備えられるディスク装備部５０の側壁５５ｂに空気流逃し口５ｅを設け、筐体１ａの後部側壁１ｃに空気流排出口１１，１２を設け、逃し口５ｅと排出口１１，１２の間に電気回路を備える基板９を配置させ、ディスク３の回転により発生される空気の流れを、トレー５の逃し口５ｅより筐体１ａの内部に取り込ませ、電気回路を備える基板９などに空気の流れを通らせ、排出口１１，１２に空気の流れを通らせて、暖められた空気をディスク装置本体１の外部に排出させることで、ファン（図示せず）などの特別な冷却装置が使用されることなく、電気回路を備える基板９などが冷却される。このようにすることで、冷却ファンなどの特別な冷却装置が装備されることなく、ディスク装置本体１の内部を冷却可能なディスク装置７０の提供が実現される。
【００９８】
次に、ディスク装置７０にディスク３が装備され、ディスク装置７０が作動される状態について説明する。ターンテーブル２（図１）に備えられたチャッキング部材２ａにディスク３（図２）を装着することで、ターンテーブル２上にディスク３がセットされる。トレー５を図１に示すディスク着脱位置から図２に示す動作位置まで変位させると、ディスク３は、スピンドルモータ４（図３，図４）によりＡ方向（図２）に回転駆動される。便宜上、空気の流れＡと、ディスク３の回転方向Ａとは、同じ符号を用いて示した。
【００９９】
ディスク３の回転に伴って、空気の流れＡも同様に回転方向Ａに沿って動かされる。空気の流れＡは、ディスク３の円周方向に沿って動かされる。空気の流れＡは、次第に内壁面５ｂ，５ｃ，５ｄに沿った動きとなるが、トレー本体５ｕを構成する側壁５５ｂに、空気が通される逃し口５ｅが設けられているので、空気の流れの一部は、矢印Ｂで示す通り、上部集積回路９ａを冷却後、リブ７を超えて上部排出口１１を通り抜ける。
【０１００】
また、逃し口５ｅを抜けた空気の流れの一部は、リブ７により拡散された空気の流れとなる。リブ７により拡散された空気の流れは、矢印Ｃで示す通り、リブ７近傍部からトレー５の裏側における中央部５ｍに向けた空気の流れとなる。この空気流は、ピックアップ６にあてられる。ピックアップ６にあてられた空気流の一部は、矢印Ｄ（図２，図４）で示す通り、制御基板９の下面９ｊ（図４）に配置された下部集積回路９ｂの近傍を通り、筐体１ａに設けられた下部排出口１２より排出される。このように、図１〜図４に示すディスク装置７０は、ディスク３の回転により発生された空気の流れをディスク装置本体１の後側から外部に流出させる構造のものとされている。
【０１０１】
ディスク装置本体１内への空気の取入れについては、矢印Ｅ（図３），Ｆ（図２），Ｇで示す通り、ディスク装置７０の前側で行われる。外部の空気は、矢印Ｅ（図３）で示す通り、主にフロントパネル８の下部隙間１３からディスク装置７０内に取り入れられる。また、外部の空気は、矢印Ｆ（図２）または矢印Ｇで示す通り、フロントパネル８の両サイドの隙間１４，１５からディスク装置７０内に取り入れられる。
【０１０２】
上記ディスク装置は、例えば、ノート型パソコンや、デスクトップ型パソコンなどのパソコンや、ＣＤプレーヤや、ＤＶＤプレーヤなどの音響機器などに装備可能なものとされる。本発明のディスク装置は、図示されたものに限定されるものではない。本発明のものは、その要旨を逸脱しない範囲において、種々変更可能なものとされる。
【産業上の利用可能性】
【０１０３】
ノート型コンピュータに対して取付け取外し可能な薄型ディスクドライブ装置に有用な方式のものとされる。
【図面の簡単な説明】
【０１０４】
【図１】本発明に係るディスク装置の一実施の形態を示す斜視図である。
【図２】トレーがディスク装置本体内に収容された状態を示す説明図である。
【図３】ディスク装置の一部が切り欠かれた状態を示す説明図である。
【図４】図３の要部拡大図である。
【符号の説明】
【０１０５】
１          光ディスク装置本体（ディスク装置本体）
１ａ        筐体
１ｂ        底壁（基壁）
１ｃ        側壁
１ｐ        カバー
１ｒ        収容室
１ｕ        開口部
２          ターンテーブル
２ａ        チャッキング部材
３          光ディスク（ディスク）
３ａ        平面部
３ｂ        外周部
４          スピンドルモータ
５          トレー
５ａ，５ｂ，５ｃ，５ｄ  内壁面
５ｅ        空気流逃し口（逃し口）
５ｇ        開口部
５ｍ        中央部
５ｕ        トレー本体
６          ピックアップ（光ピックアップ）
６ａ        レンズ
６ｈ        レンズホルダ
７          リブ（案内壁）
８          フロントパネル（パネル）
９          両面基板（基板）
９ａ，９ｂ  集積回路（電気／電子部品）
９ｈ        基板本体
９ｉ        上面（一側面）
９ｊ        下面（他側面）
１０        コネクタ
１１，１２  空気流排出口（排出口）
１３，１４，１５  吸入口（隙間）
５０        ディスク装備部
５５        壁
５５ａ      基壁
５５ｂ，５５ｃ，５５ｄ  側壁
５５ｆ      天壁
７０        光ディスク装置（ディスク装置）
Ａ，Ｂ，Ｃ，Ｄ，Ｅ，Ｆ，Ｇ  空気の流れ（空気流）
【図１】
2005158219.tif 000003
【図２】
2005158219.tif 000004
【図３】
2005158219.tif 000005
【図４】
2005158219.tif 000006